【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
胴体の衝撃耐性システムにおいて、
第１及び第２の胴体側壁であって、前記第１及び第２の胴体側壁がそれぞれ複数のガイドポストと少なくとも１つの固定ポストとを有する、第１及び第２の胴体側壁と、
前記第１及び第２の胴体側壁の少なくとも１つに強固に取り付けられたプリント回路基板（ＰＣＢ）であって、当該プリント回路基板が複数のガイドスロットと少なくとも１つの取り付け孔とを有し、前記複数のガイドポストのそれぞれが前記複数のガイドスロットの各１つに摺動可能に挿入され、前記少なくとも１つの固定ポストの各固定ポストが前記少なくとも１つの取り付け孔の各１つに固定して挿入された、プリント回路基板（ＰＣＢ）と、
複数の電気部品の大部分の電気部品がＰＣＢの後端部よりもＰＣＢの前端部に取り付けられるように、前記ＰＣＢに取り付けられた複数の電気部品と、
を含み、
前記ＰＣＢの弾性変形が、前記第１の胴体側壁と前記第２の胴体側壁との間の前記ガイドスロットによって誘導されることを特徴とするシステム。
【請求項２】
請求項１のシステムにおいて、前記第１の胴体側壁及び前記第２の胴体側壁が、胴体と一体化したクラムシェル型の第１の胴体側壁及び第２の胴体側壁であることを特徴とするシステム。
【請求項３】
請求項１のシステムにおいて、前記複数の各ガイドスロットの縦方向主軸が、前記第１の胴体側壁及び前記第２の胴体側壁の縦方向主軸と平行に延在することを特徴とするシステム。
【請求項４】
請求項１のシステムにおいて、前記ＰＣＢが、当該ＰＣＢ基板の前方において、前記第１の胴体側壁及び前記第２の胴体側壁のうち少なくとも１つに強固に取り付けられていることを特徴とするシステム。
【請求項５】
請求項１のシステムにおいて、前記ＰＣＢが、前記ＰＣＢ基板の後方において、前記第１の胴体側壁及び前記第２の胴体側壁のうち少なくとも１つに強固に取り付けられていることを特徴とするシステム。
【請求項６】
請求項１のシステムにおいて、前記ＰＣＢに取り付けられた前記複数の電気部品は、当該複数の各電気部品が、それらの縦方向主軸を前記第１の胴体側壁及び前記第２の胴体側壁のそれぞれの縦方向主軸に垂直に向けた状態で取り付けられるように配置されていることを特徴とするシステム。
【請求項７】
請求項１に記載のシステムにおいて、前記ＰＣＢの弾性変形が、前記少なくとも１つの固定ポストに最も近い前記ＰＣＢの領域でより大きいことを特徴とするシステム。
【請求項８】
請求項１に記載のシステムにおいて、前記ＰＣＢに取り付けられた前記複数の電気部品が、前記ＰＣＢの弾性変形に対する感度が小さい電気部品が、前記少なくとも１つの固定ポストに最も近い前記ＰＣＢの領域に配置されるように構成されていることを特徴とするシステム。
【請求項９】
衝撃耐性プリント回路基板（ＰＣＢ）において、
複数のガイドポストを受け取る複数のガイドスロットと；
少なくとも１つの固定ポストを受け取る少なくとも１つの取り付け孔と；
前記ＰＣＢに取り付けられた複数の電気部品であって、前記ＰＣＢに取り付けられた前記複数の電気部品が、比較的大きな幅を有する電気部品が前記少なくとも１つの取り付け孔から遠位に取り付けられるように配置されている、複数の電気部品と：
を具え、
前記ＰＣＢの弾性変形が、前記複数のガイドスロットによって誘導されることを特徴とするＰＣＢ。
【請求項１０】
請求項９に記載のＰＣＢにおいて、前記ＰＣＢに取り付けられた前記複数の電気部品が、比較的小さな幅を有する電気部品が前記比較的大きな幅を有する電気部品よりも前記少なくとも１つの取り付け孔の近くに取り付けられるように配置されていることを特徴とするＰＣＢ。
【請求項１１】
請求項９に記載のＰＣＢにおいて、前記複数の電気部品のうちの有鉛集積回路（ＩＣ）部品が、前記複数の電気部品のうちのセラミック部品よりも、前記少なくとも１つの取り付け孔の近くに配置されていることを特徴とするＰＣＢ。
【請求項１２】
請求項９に記載のＰＣＢにおいて、前記複数のガイドスロットが、受け取った複数のガイドポストが軸方向にのみスライドし、かつ直角方向へのスライドを抑えるように配置されていることを特徴とするＰＣＢ。
【請求項１３】
請求項９に記載のＰＣＢにおいて、前記少なくとも１つの取り付け孔が、前記ＰＣＢの中央取り付け点に配置されていることを特徴とするＰＣＢ。
【請求項１４】
請求項９に記載のＰＣＢにおいて、前記少なくとも１つの取り付け孔が、前記ＰＣＢの重心に配置されていることを特徴とするＰＣＢ。
【請求項１５】
請求項９に記載のシステムにおいて、前記ＰＣＢの弾性変形が、前記少なくとも１つの固定ポストに最も近い前記ＰＣＢの領域でより大きいことを特徴とするシステム。
【請求項１６】
請求項９に記載のＰＣＢにおいて、前記ＰＣＢに取り付けられた前記複数の電気部品が、前記ＰＣＢの弾性変形に対する感度が小さい電気部品が、前記少なくとも１つの固定ポストに最も近い前記ＰＣＢの領域に配置されるように構成されていることを特徴とするＰＣＢ。
【請求項１７】
衝撃耐性プリント回路基板（ＰＣＢ）において、
複数のガイドポストを受け取る複数のガイドスロットと；
少なくとも１つの固定ポストを受け取る少なくとも１つの取り付け孔と；
を具え、
前記少なくとも１つの取り付け孔は、前記ＰＣＢの中央取り付け点に配置される、及び前記ＰＣＢの重心に配置される、のうち少なくとも１つであり；
前記ＰＣＢの弾性変形が、前記複数のガイドスロットにより誘導されることを特徴とするＰＣＢ。
【請求項１８】
請求項１７に記載のＰＣＢにおいて、
前記ＰＣＢに取り付けられる複数の電気部品をさらに具えることを特徴とするＰＣＢ。
【請求項１９】
請求項１８に記載のＰＣＢにおいて、前記ＰＣＢに取り付けられた前記複数の電気部品は、当該複数の各電気部品が、それらの縦方向主軸を前記複数の各ガイドスロットの縦方向主軸に垂直に向けた状態で取り付けられるように配置されていることを特徴とするＰＣＢ。
【請求項２０】
請求項１８に記載のＰＣＢにおいて、前記ＰＣＢに取り付けられた前記複数の電気部品が、前記複数の電気部品の大部分の電気部品がＰＣＢの後端部よりもＰＣＢの前端部に取り付けられるように、前記ＰＣＢに取り付けられることを特徴とするＰＣＢ。
【請求項２１】
請求項１８に記載のＰＣＢにおいて、前記ＰＣＢに取り付けられた前記複数の電気部品が、比較的大きな幅を有する電気部品が前記少なくとも１つの取り付け孔から遠位に取り付けられるように配置されていることを特徴とするＰＣＢ。
【請求項２２】
請求項１８に記載のＰＣＢにおいて、前記ＰＣＢに取り付けられた前記複数の電気部品が、比較的小さな幅を有する電気部品が前記比較的大きな幅を有する電気部品よりも前記少なくとも１つの取り付け孔の近くに取り付けられるように配置されていることを特徴とするＰＣＢ。
【請求項２３】
請求項１８に記載のＰＣＢにおいて、前記複数の電気部品のうちの有鉛集積回路（ＩＣ）部品が、前記複数の電気部品のうちのセラミック部品よりも、前記少なくとも１つの取り付け孔の近くに配置されていることを特徴とするＰＣＢ。
【請求項２４】
請求項１８に記載のＰＣＢにおいて、前記ＰＣＢに取り付けられた前記複数の電気部品が、前記ＰＣＢの弾性変形に対する感度が小さい電気部品が、前記少なくとも１つの固定ポストに最も近い前記ＰＣＢの領域に置かれるように配置されていることを特徴とするＰＣＢ。